(57)【要約】【課題】情報利用者が興味をもった提供情報を一元管理し、情報へのアクセスを容易にした提供情報の提供を目的とする。【解決手段】情報提供者により提供情報１が登録された情報提供サーバ２が、提供情報１へのポインタを含む図像コードを媒体管理者クライアント端末３に出力するステップと、  情報利用者クライアント端末４が、媒体管理者が提供する媒体に表示された前記図像コードを撮像して得られるポインタ特定可能情報と情報利用者を特定する情報とを含む登録情報を情報提供サーバ２に送信するステップと、  前記登録情報を受領した情報提供サーバ２が、予め格納された情報利用者データにポインタを介して提供情報１を関連付けるステップと、  情報提供サーバ２が、情報利用者クライアント端末４からの検索要求に対して、情報利用者に関連付けられた提供情報１を検索し、前記情報利用者クライアント端末４に送信するステップとを含んで構成する。【選択図】  図２
2006065645.tif 000002
【特許請求の範囲】
【請求項１】
情報提供者により提供情報が登録された情報提供サーバが、提供情報へのポインタを含む図像コードを媒体管理者クライアント端末に出力するステップと、
情報利用者クライアント端末が、媒体管理者が提供する媒体に表示された前記図像コードを撮像して得られるポインタ特定可能情報と情報利用者を特定する情報とを含む登録情報を情報提供サーバに送信するステップと、
前記登録情報を受領した情報提供サーバが、予め格納された情報利用者データにポインタを介して提供情報を関連付けるステップと、
情報提供サーバが、情報利用者クライアント端末からの検索要求に対して、情報利用者に関連付けられた提供情報を検索し、前記情報利用者クライアント端末に送信するステップと、
を含む情報提供方法。
【請求項２】
情報提供者により提供情報が登録された情報提供サーバが、提供情報へのポインタを含むアクセスコードを媒体管理者クライアント端末に出力するステップと、
情報利用者クライアント端末が、媒体管理者が提供する媒体に表示された前記アクセスコードと情報利用者を特定する情報とを含む登録情報を情報提供サーバに送信するステップと、
前記登録情報を受領した情報提供サーバが、予め格納された情報利用者データにポインタを介して提供情報を関連付けるステップと、
情報提供サーバが、情報利用者クライアント端末からの検索要求に対して、情報利用者に関連付けられた提供情報を検索し、前記情報利用者クライアント端末に送信するステップと、
を含む情報提供方法。
【請求項３】
ネットワークを通して相互に交信可能な情報提供サーバ、情報利用者クライアント端末および媒体管理者クライアント端末とを含み、
前記情報提供サーバは、情報提供者による提供情報を格納する提供情報データベース、
媒体管理者クライアント端末からのコード要求に対して、前記提供情報へのポインタを図像化した図像コードを生成して送信する手段、
情報利用者クライアント端末からの、媒体管理者が提供する媒体に表示された前記図像コードを撮像して得られるポインタ特定可能情報と情報利用者を特定する情報とを含むブックマーク登録要求に対して該ポインタをキーとして前記提供情報データベース内の提供情報と予め登録された情報利用者データベース内の情報利用者データとを関連付ける関係データベース、および
情報利用者クライアント端末からの情報利用者を特定した検索要求に応答して、前記関係データベースにより情報利用者に関連付けられた提供情報を提供情報データベース内から検索し、情報利用者クライアント端末に送信する手段を備え、
情報利用者クライアント端末は、
前記図像コードを光学的に読み取る光学的読み取り手段、
図像コードに表されたポインタを特定可能なブックマーク登録要求を生成して情報提供サーバに送信する手段、
を備える情報提供システム。
【請求項４】
ネットワークを通して相互に交信可能な情報提供サーバ、情報利用者クライアント端末および媒体管理者クライアント端末とを含み、
前記情報提供サーバは、情報提供者による提供情報を格納する提供情報データベース、
媒体管理者クライアント端末からのコード要求に対して、前記提供情報へのポインタをコード化したアクセスコードを生成して送信する手段、
情報利用者クライアント端末からの、媒体管理者が提供する媒体に表示された前記アクセスコードと情報利用者を特定する情報とを含むブックマーク登録要求に対して該ポインタをキーとして前記提供情報データベース内の提供情報と予め登録された情報利用者データベース内の情報利用者データとを関連付ける関係データベース、および
情報利用者クライアント端末からの情報利用者を特定した検索要求に応答して、前記関係データベースにより情報利用者に関連付けられた提供情報を提供情報データベース内から検索し、情報利用者クライアント端末に送信する手段を備え、
情報利用者クライアント端末は、
前記アクセスコードを含むブックマーク登録要求を生成して情報提供サーバに送信する手段、
を備える情報提供システム。
【請求項５】
情報提供者による提供情報を格納する提供情報データベース、
ネットワークを通して接続される媒体管理者クライアント端末からのコード要求に対して、前記提供情報へのポインタを図像化した図像コードを生成して送信する手段、
ネットワークを通して接続される情報利用者クライアント端末からの、媒体管理者が提供する媒体に表示された前記図像コードを撮像して得られるポインタ特定可能情報と情報利用者を特定する情報とを含むブックマーク登録要求に対して該ポインタをキーとして前記提供情報データベース内の提供情報と予め登録された情報利用者データベース内の情報利用者データとを関連付ける関係データベース、および
情報利用者クライアント端末からの情報利用者を特定した検索要求に応答して、前記関係データベースにより情報利用者に関連付けられた提供情報を提供情報データベース内から検索し、情報利用者クライアント端末に送信する手段、
を備える情報提供サーバ。
【請求項６】
情報提供者による提供情報に関係する位置情報を格納する提供情報データベース、
ネットワークを通して接続される媒体管理者クライアント端末からのコード要求に対して、前記提供情報へのポインタを図像化した図像コードを生成して送信する手段、
ネットワークを通して接続される情報利用者クライアント端末からの、媒体管理者が提供する媒体に表示された前記図像コードを撮像して得られるポインタ特定可能情報と情報
利用者を特定する情報とを含むブックマーク登録要求に対して該ポインタをキーとして前記提供情報データベース内の提供情報と予め登録された情報利用者データベース内の情報利用者データとを関連付ける関係データベース、
地図データベースから指定領域内の地図データを抽出し、前記位置情報が示す位置が表示された地図データを生成する手段、
情報利用者クライアント端末からの情報利用者と指定領域を特定した検索要求に応答して、前記関係データベースにより情報利用者に関連付けられた位置情報を提供情報データベース内から検索し、当該位置が示された地図データを情報利用者クライアント端末に送信する手段、
を備える情報提供サーバ。
【請求項７】
前記提供情報が所定の分類基準によって区分されて提供情報データベースに格納されるとともに、
前記検索手段は、情報利用者クライアント端末からの検索条件に付加された要求データ区分を検索条件に加えて提供情報データベース内を検索する請求項５または６記載の情報提供サーバ。
【請求項８】
前記分類コードが前記図像コードに組み込まれている請求項７記載の情報提供サーバ。
【請求項９】
前記情報利用者クライアント端末からのブックマーク登録要求に同期して、ポインタの指示先をログデータとして格納するアクセスログデータベースを含む請求項５から８のいずれかに記載の情報提供サーバ。
【請求項１０】
前記図像コードには、該図像コードが表示される媒体の特定コードが組み込まれ、
前記アクセスログデータベースには、ポインタ指示先に加えて前記媒体の特定コードが格納される請求項９記載の情報提供サーバ。
【請求項１１】
前記図像コードに代えて、該図像コードに含まれる情報を文字により表記したアクセスコードが使用される請求項５から１０のいずれかに記載の情報提供サーバ。
【発明の詳細な説明】
【技術分野】
【０００１】
本発明は、情報提供方法に関するものである。
【背景技術】
【０００２】
二次元コードを利用して特定される情報ソースから情報利用者に情報を提供する方法としては、特許文献１に記載されたものが知られている。
この従来例において、雑誌、新聞等には、情報の正しさを認証する情報認証サイトへのアクセス手順等が記述された二次元コードが広告情報とともに印刷される。情報利用者は、クライアント端末に備え付けられ、あるいは接続されるカメラによりこの二次元コードを撮像し、アクセス手順に従って指示される手順に従うと、広告主のＵＲＬ等を含んだ広告内容がクライアント端末のメモリ部にダウンロードされる。
【０００３】
広告内容についてのより詳細な情報を欲する場合には、上記メモリ部の内容から広告主のＵＲＬ等に直接アクセスし、ＷＥＢページに予め用意されている場合には、購買、予約等も可能になる。
【特許文献１】特開２００２-４９３３９号公報
【発明の開示】
【発明が解決しようとする課題】
【０００４】
しかし、上述した従来例において、ユーザが取得した広告情報は、個別にユーザのクライアント端末のメモリ部、あるいはメモリ部が小さな場合にはネット上の個人データベースに記憶されているために、情報の一元管理が困難であるという欠点がある。
【０００５】
クライアント端末には、例えばブックマーク等を設定する機能を有するものもあるが、この場合であっても、情報の管理を行う必要があるために、使い勝手が良好とはいえない。
【０００６】
とりわけ、店舗等に対する情報に関しては、来店時に店舗の地図上の位置を知りたい要求が多いが、各々の情報が個別に管理されている状態では、過去に情報収集して来店意思のある複数の店舗を同一の地図画面上に表示することはできない。このため、個別に店舗のＷＥＢページ等にアクセスして地図情報を取得する必要が生じるため、面倒な上に、近隣に情報収集して来店意思のある店舗が存在していても見逃したりするなど、使い勝手が極めて悪いという欠点がある。
【０００７】
本発明は、以上の欠点を解消すべくなされたものであって、情報利用者が興味をもった提供情報を一元管理し、情報へのアクセスを容易にした情報提供方法の提供を目的とする。
【０００８】
また、本発明の他の目的は、上記方法の実施に使用可能な情報提供システムおよび情報提供サーバの提供にある。
【課題を解決するための手段】
【０００９】
本発明によれば上記目的は、
情報提供者により提供情報１が登録された情報提供サーバ２が、提供情報１へのポインタを含む図像コードを媒体管理者クライアント端末３に出力するステップと、
情報利用者クライアント端末４が、媒体管理者が提供する媒体に表示された前記図像コードを撮像して得られるポインタ特定可能情報と情報利用者を特定する情報とを含む登録情報を情報提供サーバ２に送信するステップと、
前記登録情報を受領した情報提供サーバ２が、予め格納された情報利用者データにポインタを介して提供情報１を関連付けるステップと、
情報提供サーバ２が、情報利用者クライアント端末４からの検索要求に対して、情報利用者に関連付けられた提供情報１を検索し、前記情報利用者クライアント端末４に送信するステップと、
を含む情報提供方法により達成される。
【００１０】
図１に示すように、本発明は、情報提供サーバ２に、情報利用者クライアント端末４、媒体管理者クライアント端末３および情報提供者クライアント端末１６を接続して実現される。各クライアント端末３、４、１６、および情報提供サーバ２は、任意のＯＳ上で各機能を実現するプログラムが走行するコンピュータ装置により形成することも可能であり、さらに、情報利用者クライアント端末４には、携帯電話、ＰＤＡ(Personal 
Digital Assistance)等の携帯情報端末、あるいは通常のパーソナルコンピュータを使用できる。
【００１１】
図２に示すように、情報提供者クライアント端末１６から登録要求がなされると（ステップＳ１）、情報提供サーバ２は、提供情報データベース６に格納領域を追加して所定のＩＤ情報とともに、提供情報１を登録する（ステップＳ２）。情報提供者は、通常、情報利用者を顧客とする店舗経営者等であり、複数の支店を有する場合等には、同一の情報提供者が複数のＩＤ情報を取得することができる。提供情報１には、店舗名、キャッチフレーズ、休日情報等を含むことができる。
【００１２】
同様に、情報提供サーバ２は、媒体管理者クライアント端末３からの登録要求（ステップＳ３）に対しては、媒体情報データベース２０への登録（ステップＳ４）、情報利用者クライアント端末４からの登録要求（ステップＳ５）に対しては、情報利用者データベース８への登録（ステップＳ６）が実行される。
【００１３】
媒体管理者は、通常、雑誌等の適宜の媒体の発行者等であるが、情報提供者が商品宣伝を行うチラシに後述する図像コードを表示するため、チラシ作成業者ではなく自らが後述する図像コードを情報提供サーバ２に要求する場合等には、情報提供者が媒体管理者でもある。情報提供サーバ２は、媒体管理者クライアント端末３からの図像コード要求があると（ステップＳ７）、図像コードを返信する。図像コード要求に際しては、雑誌等の媒体に掲載する提供情報１が特定され、情報提供サーバ２は、この特定された提供情報１へのアクセスポインタ情報を含む文字列コードをエンコードして図像化し、媒体管理者クライアント端末３に送信する（ステップＳ８）。図像コードには、１次元コード（バーコード）、あるいは二次元コードが使用される。
【００１４】
このようにして特定の提供情報１に関連付けられた図像コードは、媒体管理者、あるいは媒体管理者として行動する情報提供者が発行する雑誌、チラシ等の印刷物等、適宜の広告媒体に表示され、情報利用者に提供される。広告媒体の提供を受けた情報利用者は、提供情報１に興味がある場合には、媒体上の図像コードを情報利用者クライアント端末４の光学的読み取り手段１０により読み取り、情報提供サーバ２へのブックマーク登録要求（ステップＳ９）に使用することができる。光学的読み取り手段１０としては、カメラ、スキャナ等の撮像装置が利用できる。
【００１５】
ブックマーク登録要求は、電子メール等の送信手段を使用して情報利用者と上記図像コードにより表される提供情報１を特定するためのデータを情報提供サーバ２に送信することにより行われる。提供情報１特定のためのデータには、撮像された図像コードを情報利用者クライアント端末４上で走行するデコードプログラムによりデコードして得られる文字列のほかに、図像コードそのもの、あるいはこれから所定の手順で生成される中間コード等、適宜の形態のものを使用できるが、文字列を使用すると、添付ファイル等を使用す
ることなく情報提供サーバ２への送信が可能なために、処理系を簡単に構成することができる上に、画像である図像コードを送信する場合に比して、送信コストも低く抑えることができる。
【００１６】
情報利用者クライアント端末４からのブックマーク登録要求を受領した情報提供サーバ２は、上記提供情報１へのポインタと、情報利用者を特定する情報を利用して、提供情報データベース６と情報利用者データベース８とを関連付ける（ステップＳ１０）。関連付けは、例えば、提供情報データベース６内の提供情報１特定用カラムと情報利用者データベース８内の情報利用者特定用カラムとの間に多対多のリレーションを確立することにより実現できる。
【００１７】
このようにして提供情報データベース６と情報利用者データベース８との関連付けが確立した後、情報利用者からの登録データの検索要求があると（ステップＳ１１）、情報提供サーバ２は、情報利用者に関連付けられた提供情報１を検索し、前記情報利用者クライアント端末４に送信する（ステップＳ１２）。
【００１８】
したがってこの発明において、情報利用者は、チラシ、雑紙等に印刷等の手段により表示された図像コードを光学的読み取り手段１０により読み取り、情報提供サーバ２に登録するだけで、いつでも必要なときに参照することができる。同一の情報利用者による複数の提供情報１を同一の情報提供サーバ２で管理することから、情報利用者は異なった種類の提供情報１を一元管理することが可能になり、検索方法等を適宜決定することにより使い勝手が飛躍的に向上する。
【００１９】
また、情報提供者、あるいは媒体管理者にとっては、複数の情報利用者により登録を要求された提供情報１を同一の情報提供サーバ２で管理することができるために、一般消費者の動向等を効率的に知ることができる。
【００２０】
なお、以上においては、提供情報へのポインタ等は、図像コードを媒介として表現されるが、
情報提供者により提供情報１が登録された情報提供サーバ２が、提供情報１へのポインタを含むアクセスコードを媒体管理者クライアント端末３に出力するステップと、
情報利用者クライアント端末が、媒体管理者が提供する媒体に表示された前記アクセスコードと情報利用者を特定する情報とを含む登録情報を情報提供サーバ２に送信するステップと、
前記登録情報を受領した情報提供サーバ２が、予め格納された情報利用者データにポインタを介して提供情報１を関連付けるステップと、
情報提供サーバ２が、情報利用者クライアント端末４からの検索要求に対して、情報利用者に関連付けられた提供情報１を検索し、前記情報利用者クライアント端末４に送信するステップと、
を含む情報提供方法として構成することも可能である。
【００２１】
かかる方法を実施するために、
ネットワーク５を通して相互に交信可能な情報提供サーバ２、情報利用者クライアント端末４および媒体管理者クライアント端末３とを含み、
前記情報提供サーバ２は、情報提供者による提供情報１を格納する提供情報データベース６、
媒体管理者クライアント端末３からのコード要求に対して、前記提供情報１へのポインタを図像化した図像コードを生成して送信する手段、
情報利用者クライアント端末４からの、媒体管理者が提供する媒体に表示された前記図像コードを撮像して得られるポインタ特定可能情報と情報利用者を特定する情報とを含むブックマーク登録要求に対して該ポインタをキーとして前記提供情報データベース６内の提供情報１と予め登録された情報利用者データベース８内の情報利用者データとを関連付ける関係データベース９、および
情報利用者クライアント端末４からの情報利用者を特定した検索要求に応答して、前記関係データベース９により情報利用者に関連付けられた提供情報１を提供情報データベース６内から検索し、情報利用者クライアント端末４に送信する手段を備え、
情報利用者クライアント端末４は、
前記図像コードを光学的に読み取る光学的読み取り手段１０、
図像コードに表されたポインタを特定可能なブックマーク登録要求を生成して情報提供サーバ２に送信する手段、
を備える情報提供システム
が利用できる。
【００２２】
また、この情報提供システムは、図像コードに代えてアクセスコードを使用し、
ネットワーク５を通して相互に交信可能な情報提供サーバ２、情報利用者クライアント端末４および媒体管理者クライアント端末３とを含み、
前記情報提供サーバ２は、情報提供者による提供情報１を格納する提供情報データベース６、
媒体管理者クライアント端末３からのコード要求に対して、前記提供情報１へのポインタをコード化したアクセスコードを生成して送信する手段、
情報利用者クライアント端末４からの、媒体管理者が提供する媒体に表示された前記アクセスコードと情報利用者を特定する情報とを含むブックマーク登録要求に対して該ポインタをキーとして前記提供情報データベース６内の提供情報１と予め登録された情報利用者データベース８内の情報利用者データとを関連付ける関係データベース９、および
情報利用者クライアント端末４からの情報利用者を特定した検索要求に応答して、前記関係データベース９により情報利用者に関連付けられた提供情報１を提供情報データベース６内から検索し、情報利用者クライアント端末４に送信する手段を備え、
情報利用者クライアント端末４は、
前記アクセスコードを含むブックマーク登録要求を生成して情報提供サーバ２に送信する手段、
を備える情報提供システムを構成することができる。
【００２３】
さらに、上記情報提供システムを、例えば、店舗所在地を顧客に知らせるためのシステム
として構成することも可能であり、この場合には、
情報提供者による提供情報１に関係する位置情報１１を格納する提供情報データベース６、
ネットワーク５を通して接続される媒体管理者クライアント端末３からのコード要求に対して、前記提供情報１へのポインタを図像化した図像コードを生成して送信する手段、
ネットワーク５を通して接続される情報利用者クライアント端末４からの、媒体管理者が提供する媒体に表示された前記図像コードを撮像して得られるポインタ特定可能情報と情報利用者を特定する情報とを含むブックマーク登録要求に対して該ポインタをキーとして前記提供情報データベース６内の提供情報１と予め登録された情報利用者データベース８内の情報利用者データとを関連付ける関係データベース９、
地図データベース１２から指定領域内の地図データ１３を抽出し、前記位置情報１１が示す位置が表示された地図データを生成する手段、
情報利用者クライアント端末４からの情報利用者と指定領域を特定した検索要求に応答して、前記関係データベース９により情報利用者に関連付けられた位置情報１１を提供情報データベース６内から検索し、当該位置が示された地図データを情報利用者クライアント端末４に送信する手段、
を備える情報提供サーバ２
が使用できる。
【００２４】
情報提供サーバ２は地図データベース１２を有し、さらに、提供情報データベース６には、提供情報１に関連する位置情報１１、例えば、提供情報１が店舗情報である場合には、店舗所在地が格納される。情報利用者クライアント端末４に出力する地図データを生成するための地図データ生成手段１７は、引数として位置情報１１、地図表示領域を与えると、上記地図データベース１２上の地図データ１３から指定領域部分を抽出し、さらに、位置情報１１が示す抽出画像上の点に適宜のマーク１８を付した画像を出力する関数として構成することができる。
【００２５】
表示領域の指定は、情報利用者との間のインターフェイス画面で表示地区の選択、あるいは入力を促して決定したり、あるいは、情報利用者クライアント端末４のアクセス時におけるＧＰＳ座標を基準としてデフォルト値として与えられる情報利用者による変更可能な縮尺範囲を自動決定するものであってもよい。また、地図データ生成手段１７における抽出効率の向上のために、提供情報データベース６内の位置情報１１は、いわゆる住所による記述以外に、緯経度による記述等、適宜の方法をとることができる。
【００２６】
したがってこの場合、情報利用者は、一旦情報提供サーバ２に提供情報１を登録すると、次回からは、情報提供サーバ２にエリア指定して検索要求するだけで、当該エリア内での店舗等の所在地を同時に確認することが可能になり、使い勝手が極めて良好になる。また、この場合、地図データ生成手段１７に、その他の提供情報１、例えば、店舗名等を併せて表示する機能や、当該店舗へのＵＲＬ情報を埋め込んでおく機能を付加することもできる。
【００２７】
さらに、提供情報１は、所定の分類基準によって区分することができる。区分のための分類コード１４は、提供情報データベース６に格納することで、検索結果に対する絞り込み等が可能になる。分類基準には、例えば業種、店舗種等を採用することができる。
【００２８】
分類コード１４を付すことによって、例えば、登録された提供情報１のうち、店舗種が”飲食店”、あるいはさらに細分化して”日本食”等区分を指定して表示することが可能になるために、余分な情報を削除することができ、使い勝手が向上する。
【００２９】
分類コード１４を付した際の検索は、指定された分類コード１４を、例えば、分類名と
分類コード１４とを対比させたテーブルから検索した後、ポインタにより抽出された提供情報１群内で分類コード１４を有するものを検索するという手法が採用されるが、分類コード１４を図像コードに組み込んでおくと、検索効率が向上する。
【００３０】
これら情報提供サーバ２においても、図像コードに代えてアクセスコードを使用することができる。
【発明の効果】
【００３１】
本発明によれば、情報利用者が興味をもった提供情報を一元管理することができるので、情報へのアクセスを容易にすることができる。  
【発明を実施するための最良の形態】
【００３２】
図１にネットワーク５を利用して店舗情報を提供する情報提供システムとして構成された本発明の実施の形態を示す。ネットワーク５には、公衆回線網、インターネット等が利用される。
【００３３】
図３に情報提供サーバ２のブロック図を示す。図中１９はデータベース部で、提供情報データベース６、情報利用者データベース８、および媒体情報データベース２０を有する。提供情報データベース６には、提供情報ＩＤ（６ａ）により特定可能な提供情報１に加えて、提供情報１を分類する分類コード１４、提供情報１に関連する位置情報１１が格納される。提供情報１は、店舗名、キャッチフレーズ、休日情報、特売情報等からなり、当該提供情報１は、アクセス効率を考慮して適宜複数カラムに分離される。分類コード１４は、店舗の地方、業種等、情報利用者による検索絞り込みに有用なキーが適宜決定される。
【００３４】
なお、以下の説明では、理解を容易にするために、各データベースの主要な格納データは、１カラム内に格納されたものとして説明、表示するが、上述した提供情報データベース６における提供情報１のように、複数のカラムに分けて格納することができる。
【００３５】
情報利用者データベース８には、情報利用者ＩＤ（８ａ）により特定される情報利用者データ（８ｂ）が格納される。情報利用者は、本システムに登録された店舗等に興味をもった一般消費者で、情報利用者データ８ｂには、情報利用者の氏名等が格納される。
【００３６】
媒体情報データベース２０は、媒体ＩＤ（２０ａ）により特定される媒体特定情報２０ｂが格納される。媒体特定情報２０ｂには、雑誌の名称、号数、あるいはチラシの発行日、放送メディア、放送日等が含まれる。通常、同一の媒体には複数の提供情報１が記載され、かつ、同一の提供情報１が複数の媒体に記載されることもあるために、提供情報データベース６と媒体情報データベース２０とは、提供情報-媒体情報データベース２１を介して相互に関連付けられる。
【００３７】
同様の関係は、情報利用者データベース８と提供情報データベース６との関係にも見られ、双方は多対多の関係にあるために、これら両データベース６、８は、関係データベース９を介して相互に関連付けられる。
【００３８】
さらに、データベース部１９には、アクセスログデータベース１５が設けられる。アクセスログデータベース１５には、アクセス日時の表示を兼ねるログＩＤ（１５ａ）に加え、提供情報ＩＤ（１５ｂ）と媒体ＩＤ（１５ｃ）が格納される。後述するように、アクセスログデータベース１５は、提供情報１へのアクセス頻度等を解析する際に使用される。
【００３９】
また、データベース部１９には、地図データベース１２が含まれる。地図データベース１２は、地図データ生成手段１７からの表示領域を指定した問い合わせに応答して、表示領域内の地図画像を出力する。
【００４０】
バスライン２２を介してサーバ制御部２３に接続される地図データ生成手段１７は、地図表示領域が与えられると、データベース管理部２４を経由して地図データベース１２から地図画像を取得し、さらに、提供情報データベース６から取得した位置情報１１をもとに地図画像上に当該位置を表示するマーク１８（図８参照）を配置した地図画像を生成する。
【００４１】
データベース管理部２４は、データベース部１９への問い合わせ文をはじめとするデータベースアクセス用のオブジェクトの生成、トランザクション管理等を行う。情報利用者クライアント端末４からの検索要求に対する回答は、上述した手順で生成された地図画像に、あるいは提供情報１が地図画像を伴わない場合は、レイアウト調整部２５において予め定められたフォームにレイアウトされる。
【００４２】
２６は図像コード生成手段であり、上記媒体情報データベース２０の媒体ＩＤ（２０ａ）、および提供情報データベース６の提供情報ＩＤ（６ａ）と分類コード１４とを引数として与えると、ＱＲコード（二次元コード）を出力する。
【００４３】
以上のように構成される情報提供サーバ２とクライアント端末との交信を説明する。まず、汎用コンピュータ装置により構成される情報提供者クライアント端末１６は、例えばＨＴＴＰプロトコルを使用して情報提供サーバ２と通信可能であり、情報提供サーバ２に登録要求を送信することができる。
【００４４】
図４（ａ）に示すように、情報提供者クライアント端末１６が情報提供サーバ２に登録要求を送信すると（ステップＳ１０１）、情報提供サーバ２は店舗情報登録フォーマットを送信する（ステップＳ１０２）。情報提供者がこのフォーマットに必要事項を記入し、情報提供サーバ２に送信すると（ステップＳ１０３）、情報提供サーバ２は、提供情報データベース６に新規レコードを作成して店舗情報（提供情報１）を登録し（ステップＳ１０４）、登録が確認されると提供情報ＩＤ（６ａ）を生成する（ステップＳ１０５）。提供情報ＩＤ（６ａ）は、次回のアクセス時における登録情報の特定のために必要となるために、情報提供サーバ２は、この提供情報ＩＤ（６ａ）を情報提供者クライアント端末１６に送信して（ステップＳ１０６）登録処理が終了する。
【００４５】
同様に、図４（ｂ）に示すように、媒体管理者クライアント端末３からの登録要求があると（ステップＳ２０１）、情報提供サーバ２は媒体情報登録フォーマットを送信する（ステップＳ２０２）。媒体管理者がこのフォーマットに必要事項を記入し、情報提供サーバ２に送信すると（ステップＳ２０３）、情報提供サーバ２は、媒体情報データベース２０に新規レコードを形成して店舗情報１を登録し（ステップＳ２０４）、登録が確認されると媒体ＩＤ（２０ａ）を生成する（ステップＳ２０５）。媒体ＩＤ（２０ａ）は、次回のアクセス時における登録情報の特定のために必要となるために、情報提供サーバ２は、この媒体ＩＤ（２０ａ）を媒体管理者クライアント端末３に送信して（ステップＳ２０６）登録処理が終了する。
【００４６】
また、情報利用者は、図７に示すように、インターネット網（ネットワーク５）に接続可能で、かつカメラ等の光学的読み取り手段１０を備えた携帯電話を情報利用者クライアント端末４として使用してシステムに参加することができる。登録要求生成部２７により生成された登録要求が情報利用者クライアント端末４から情報提供サーバ２に送信されると（ステップＳ３０１）、情報提供サーバ２は情報利用者データ登録フォーマットを送信する（ステップＳ３０２）（図４（ｃ）参照）。情報利用者がこのフォーマットに必要事項を記入し、情報提供サーバ２に送信すると（ステップＳ３０３）、情報提供サーバ２は、情報利用者データベース８に新規レコードを形成して情報利用者データ（８Ｂ）を登録し（ステップＳ３０４）、登録が確認されると情報利用者ＩＤ（８ａ）を生成する（ステップＳ３０５）。情報利用者ＩＤ（８ａ）は、次回のアクセス時に必要となるために、情報提供サーバ２は、この情報利用者ＩＤ（８ａ）を情報利用者クライアント端末４に送信して（ステップＳ３０６）登録処理が終了する。
【００４７】
次に、上記情報提供サーバ２からの図像コードの取得について説明する。上述したように、図像コードの取得は、媒体管理者か、あるいは媒体管理者として振る舞う情報提供者が行うことができる。図５は媒体管理者による二次元コードの取得手順を示すもので、まず、媒体管理者クライアント端末３から媒体ＩＤ（２０ａ）を明示した二次元コード要求が送信されると（ステップＳ４０１）、情報提供サーバ２は、媒体管理者クライアント端末３のアクセス権の有無を認証部２８において認証し（ステップＳ４０２）、認証が確立すると、媒体管理者クライアント端末３に店舗情報選択フォーマットを送信する（ステップＳ４０３）。当該フォーマットは、例えば店舗情報リストからの選択欄を有しており、リスト中に二次元コードを取得する対象の店舗情報１がない場合、すなわち、目的とする提供情報ＩＤ（６ａ）がない場合には、処理は中止される（ステップＳ４０４）。
【００４８】
これに対し、選択項目があり、店舗選択結果が媒体管理者クライアント端末３から情報提供サーバ２に送信されると（ステップＳ４０５）、情報提供サーバ２は、店舗ＩＤ（６ａ）を確定し（ステップＳ４０６）、同時に媒体情報と店舗情報１とを関連付けるために、提供情報-媒体情報データベース２１に新規レコードを作成し、双方のＩＤ（２０ａ、６ａ）を格納する。また、店舗選択時に後述する情報利用者クライアント端末４からのブックマーク登録時に使用するレイアウトを設定することができ、このレイアウト情報が設定、あるいは予め設定された複数種から選択、指定された場合には、このレイアウト情報が提供情報-媒体情報データベース２１のレイアウト情報カラム２１ａに格納される。
【００４９】
以上のようにして店舗ＩＤ（６ａ）と媒体ＩＤ（２０ａ）との関係が確定すると、次いで、情報提供サーバ２は、これらの値をもとに図像コード生成手段２６により二次元コードを生成する。二次元コードの生成に際して、まず、図像コード生成手段２６は、提供情報データベース６に生成対象となっている店舗ＩＤ（６ａ）の分類コード１４を問い合わせ、分類コード１４-店舗ＩＤ（６ａ）-媒体ＩＤ（２０ａ）からなる文字コードを生成する（ステップＳ４０７）。この文字コードは、さらに図像コード生成手段２６において、ＱＲコード等の図像コードに図像化され（ステップＳ４０８）、文字コードとともに媒体管理者クライアント端末３に送信される（ステップＳ４０９）。
【００５０】
一方、媒体管理者として行動する情報提供者に対しては、図６に示すように、情報提供者からの提供情報ＩＤ（６ａ）を明示した二次元コード要求に対して（ステップＳ５０１）、情報提供サーバ２は、アクセス権限を認証した後（ステップＳ５０２）、情報提供者クライアント端末１６に媒体情報入力フォーマットを送信する（ステップＳ５０３）。当該フォーマットは、例えば媒体情報リストからの選択欄と媒体情報入力欄とを有しており、リスト中に二次元コードを取得する対象の媒体情報がない場合、すなわち、目的とする媒体ＩＤ（２０ａ）がない場合には、媒体情報を新規入力して情報提供サーバ２に送信する（ステップＳ５０４）。これに対し、選択項目がある場合は、媒体選択結果が情報提供者クライアント端末１６から情報提供サーバ２に送信される（ステップS５０５）
【００５１】
以上のようにして情報提供者クライアント端末１６からの返送を受けた情報提供サーバ２は、以下の方法で媒体ＩＤ（２０ａ）を確定する（ステップＳ５０６）。すなわち、媒体情報が選択された場合、すなわち、媒体情報が登録済みである場合には、選択内容により媒体ＩＤ（２０ａ）を確定することができ、同時に媒体情報と店舗情報１とを関連付けるために、提供情報-媒体情報データベース２１に新規レコードを作成し、双方のＩＤとレイアウト情報２１ａを格納する。
【００５２】
これに対し、目的とする媒体ＩＤ（２０ａ）がなく、新規に媒体情報が記入されて情報提供者クライアント端末１６から送信されてきた場合には、登録済み媒体データがないので、媒体情報データベース２０に重複登録の有無を確認した後、新規レコードを追加し、同時に提供情報-媒体情報データベース２１に新規レコードを作成して双方のＩＤとレイアウト情報を格納する。
【００５３】
店舗ＩＤ（６ａ）と媒体ＩＤ（２０ａ）との関係が確定すると、次いで、情報提供サーバ２は、分類コード１４-店舗ＩＤ（６ａ）-媒体ＩＤ（２０ａ）からなる文字コードを生成した後（ステップＳ５０７）、二次元コードに図像化し（ステップＳ５０８）、イメージデータとして情報提供者クライアント端末１６に送信される（ステップＳ５０９）。二次元コード送信に際して、文字コードも同時に送信される。
【００５４】
以上のようにして取得された二次元コードは、媒体管理者が発行する雑紙等に店舗宣伝等の記事とともに掲載され、あるいは情報提供者が発行する商品宣伝チラシ等に掲載される。これらの記事に興味をもった情報利用者は、情報利用者クライアント端末４に付属のカメラ等の光学的読み取り手段１０を使用して二次元コードを撮像することができる。図７に示すように、制御部４ａにより制御されるカメラ１０から取り込まれた二次元コードは、変換部４ｂにおいて文字コードに変換され、メモリ部４ｃに格納される。
【００５５】
図９に示すように、この情報を情報利用者が記憶させておきたい場合には、まず、登録要求生成部２７においてブックマーク登録要求を生成して情報提供サーバ２に送信する（ステップＳ６０１）。ブックマーク登録要求は、上記文字コードと、初期登録時に取得した情報利用者ＩＤ（８ａ）、および必要なパスワード等を含む例えば電子メール文書として構成され、これを受領した情報提供サーバ２は、アクセス権を認証した後（ステップＳ６０２）、文字コードから媒体ＩＤ（２０ａ）と提供情報ＩＤ（６ａ）を抽出する（ステップＳ６０３）。
【００５６】
次いで、サーバ制御部２３は、データベース管理部２４を経由して抽出された媒体ＩＤ（２０ａ）と提供情報ＩＤ（６ａ）の双方を有するレコードを提供情報-媒体情報データベース２１から検索し（ステップＳ６０４）、当該レコードに格納されたレイアウト情報２１ａを読み込む（ステップＳ６０５）。この後、提供情報-媒体情報データベース２１のリレート先である提供情報データベース６から店舗情報１を読み込み、レイアウト調整部２５によりこのレイアウト済み店舗情報を生成する（ステップＳ６０６）。また、店舗情報１の生成と同時に、情報提供サーバ２は、アクセスログデータベース１５に新規レコードを追加し、提供情報ＩＤ（６ａ）と媒体ＩＤ（２０ａ）とを格納する（ステップＳ６０７）。
【００５７】
以上のようにしてレイアウト済み店舗情報がセットされると、情報提供サーバ２は、情報利用者クライアント端末４に店舗情報１を送信する（ステップＳ６０８）。
【００５８】
店舗情報１を受信した情報利用者クライアント端末４では、ディスプレイ４ｄによりその内容を表示することができ、この結果、情報利用者がブックマーク登録をしようとする場合には、登録要求生成部２７において登録確定要求を生成して情報提供サーバ２に送信する（ステップＳ６０９）。
【００５９】
登録確定要求には、二次元コードから取得した文字コードが含まれており、これを受領した情報提供サーバ２は、関係データベース９に新規レコードを追加し、情報利用者ＩＤ（８ａ）と、文字コード中の提供情報ＩＤ（６ａ）を登録し（ステップＳ６１０）、同時にアクセスログデータベース１５に登録した後（ステップＳ６１１）、登録結果を情報利用者クライアント端末４に送信して（ステップＳ６１２）処理が終了する。ステップＳ６
１１とステップＳ６０７におけるアクセスログデータベース１５への登録データの区別を可能にするために、例えば、ログＩＤ（１５ａ）の先頭ビットに識別フラグが付加される。
【００６０】
次に、このようにしてブックマーク登録した情報利用者による提供情報１の呼び出しについて説明する。提供情報１の呼び出しに際して、情報利用者は、情報利用者クライアント端末４の検索要求生成部４ｅを使用して検索要求を生成することができる。検索要求が情報提供サーバ２に送信されると（ステップＳ７０１）、情報提供サーバ２は、アクセス権限を認証した後（ステップＳ７０２）、アクセス時に提示された情報利用者ＩＤ（８ａ）、またはそれに相当するデータを利用してデータベースを検索する（ステップＳ７０３）。
【００６１】
検索対象のデータベースは、情報利用者ＩＤ（８ａ）を検索キーとする情報利用者データベース８と、関係データベース９、および関係データベース９にリレート（関連付け）されている提供情報データベース６で、情報利用者データベース８からは、情報利用者が登録時に設定したレイアウト情報８ｃが読み込まれる（ステップＳ７０４）。また、レイアウト情報８ｃに地図表示が含まれる場合には、関係データベース９から辿られた提供情報データベース６からは、提供情報１と、分類コード１４に加えて位置情報１１が読み出され、地図データ生成手段１７による地図データ生成ステップが実行される。
【００６２】
これらレイアウト情報は、レイアウト調整部２５においてレイアウトされた後（ステップＳ７０５）、レイアウト済みの検索結果を情報利用者クライアント端末４に送信して処理を終了する（ステップＳ７０６）。関係データベース９に対する情報利用者ＩＤ（８ａ）をキーとする検索結果が複数である場合、すなわち、同一情報利用者により複数の提供情報１が登録されている場合で、情報利用者がレイアウト情報８ｃに同一地図情報への複数箇所の表示を含めている場合には、レイアウト調整部２５は、例えば、図８に示すように、同一の地図情報上に複数の検索結果を適宜のマーク１８を付して表示する。
【００６３】
なお、図８は複数箇所の同時表示を選択した場合が例示されているが、この他に、分類コード１４での絞り込み、あるいは地図の表示領域の制限等は、適宜必要な情報を情報利用者クライアント端末４と情報提供サーバ２との間で交信し、決定することができる。
【００６４】
情報利用者クライアント端末４からの登録要求に際して集積されるアクセスログデータベース１５は、情報提供者、あるいは媒体管理者により確認することが可能であり、これにより、宣伝等の効果を推計することができる。
【図面の簡単な説明】
【００６５】
【図１】本発明を示すシステム構成図である。
【図２】本発明を示すフローチャートである。
【図３】情報提供サーバのブロック図である。
【図４】情報提供サーバへの登録手順を示すフローチャートで、（ａ）は情報提供者クライアント端末からの登録手順、（ｂ）は媒体管理者クライアント端末からの登録順、（ｃ）は情報利用者クライアント端末からの登録手順である。
【図５】媒体管理者クライアント端末からのコード要求手順を示すフローチャートである。
【図６】情報提供者クライアント端末からのコード要求手順を示すフローチャートである。
【図７】情報利用者クライアント端末のブロック図である。
【図８】検索結果の表示例を示す説明図である。
【図９】情報利用者クライアント端末からの登録確定要求手順を示すフローチャートである。
【図１０】情報利用者クライアント端末からの検索手順を示すフローチャートである。
【符号の説明】
【００６６】
１        提供情報
２        情報提供サーバ
３        媒体管理者クライアント端末
４        情報利用者クライアント端末
５        ネットワーク
６        提供情報データベース
８        情報利用者データベース
９        関係データベース
１０      光学的読み取り手段
１１      位置情報
１２      地図データベース
１３      地図データ
１４      分類コード
１５      アクセスログデータベース
【図１】
2006065645.tif 000003
【図２】
2006065645.tif 000004
【図３】
2006065645.tif 000005
【図４】
2006065645.tif 000006
【図５】
2006065645.tif 000007
【図６】
2006065645.tif 000008
【図７】
2006065645.tif 000009
【図８】
2006065645.tif 000010
【図９】
2006065645.tif 000011
【図１０】
2006065645.tif 000012